(57)【要約】【課題】  増幅部から負荷に供給される音声信号の電力が過大であるために負荷が破損することを確実に防止でき、かつ、負荷に供給する音声信号が完全に０になることを防止すること。【解決手段】  増幅装置は、入力音声信号を増幅し、増幅した音声信号を負荷に出力する増幅部２と、増幅部２から出力される音声信号が第１設定値以上であるか否かを検出し、第１設定値以上である場合に、第１設定値以上であることを示す信号を減衰部４に出力する検出部３と、検出部３から供給される第１設定値以上であることを示す信号によってコンデンサＣ３が充電され、その充電電圧が所定電圧以上である場合に、充電電圧の大きさに応じて、入力音声信号の信号ラインに対するトランジスタＱ５、Ｑ６のインピーダンスを連続的に変化させ、インピーダンスの連続的な変化に応じて、入力音声信号の電力を減衰させる減衰部４とを備える。【選択図】図１
2012165083.tif 000002
【特許請求の範囲】
【請求項１】
入力音声信号を増幅し、増幅した音声信号を負荷に出力する増幅部と、
前記増幅部から出力される音声信号が第１設定値以上であるか否かを検出し、第１設定値以上である場合に、第１設定値以上であることを示す信号を減衰部に出力する検出部と、
前記検出部から供給される第１設定値以上であることを示す信号によって充電され、その充電電圧が所定電圧以上である場合に、前記充電電圧の大きさに応じて、入力音声信号の信号ラインに対するインピーダンスを連続的に変化させ、前記インピーダンスの連続的な変化に応じて、入力音声信号の電力を減衰させる前記減衰部とを備える、増幅装置。
【請求項２】
前記検出部が、前記増幅部から出力される音声信号が第１設定値よりも小さい第２設定値未満であるか否かをさらに検出し、第２設定値未満である場合に第２設定値未満であることを示す信号を前記減衰部に出力し、
前記減衰部が、第２設定値未満であることを示す信号によっても充電される、請求項１に記載の増幅装置。
【請求項３】
前記減衰部が、
前記検出部から供給される第１設定値以上であることを示す信号によって充電されるコンデンサと、
前記コンデンサの充電電圧が所定電圧以上であるときにオン状態になり、前記コンデンサの充電電圧を第２トランジスタの制御電極に供給し、前記コンデンサの充電電圧が所定電圧未満であるときにオフ状態になり、前記コンデンサの充電電圧を前記第２トランジスタの制御電極に供給しない第１トランジスタと、
前記コンデンサの充電電圧が制御電極に供給された場合、オン状態になり入力音声信号の電力を減衰させ、制御電極に供給される電流の大きさに応じて、入力音声信号の信号ラインに対するインピーダンスを連続的に変化させる前記第２トランジスタとを有する、請求項１または２に記載の増幅装置。
【請求項４】
前記第２トランジスタが、入力音声信号の信号ラインと接地電位との間に直列接続された２つのトランジスタを含む、請求項３に記載の増幅装置。
【発明の詳細な説明】
【技術分野】
【０００１】
本発明は、負荷の破損を防止する増幅装置に関する。
【背景技術】
【０００２】
例えばオーディオアンプ等の増幅装置において、入力音声信号の振幅値が大きい、又は、ボリューム調整部の音量レベルが大きい等の理由により、スピーカー等の負荷に供給される音声信号の電力が過大である状態が継続すると、スピーカーの破損につながる危険性がある。この問題を解決するために、増幅装置への入力音声信号の振幅値を検出し、振幅値が過大である場合に、ミュート処理（音量を０にする処理）や電源をオフ状態にする等のプロテクト処理を実行する技術が採用されている。
【０００３】
入力音声信号の振幅値を検出する場合には、電源電圧の変動や負荷の変動等によって増幅装置から出力される音声信号の電力が過大になるような場合を検出することができず、このような場合にスピーカーの破損を防止することができない。また、ミュート処理や電源をオフ状態にする処理を実行する場合には、スピーカーから音声が完全に再生されなくなるという問題がある。
【先行技術文献】
【特許文献】
【０００４】
【特許文献１】特開2010-109845
【特許文献２】特開平8−279722
【発明の概要】
【発明が解決しようとする課題】
【０００５】
本発明は上記従来の課題を解決するためになされたものであり、その目的は、増幅部から負荷に供給される音声信号の電力が過大であるために負荷が破損することを確実に防止でき、かつ、負荷に供給する音声信号が完全に０になることを防止する増幅装置を提供することである。
【課題を解決するための手段】
【０００６】
本発明の好ましい実施形態による増幅装置は、入力音声信号を増幅し、増幅した音声信号を負荷に出力する増幅部と、前記増幅部から出力される音声信号が第１設定値以上であるか否かを検出し、第１設定値以上である場合に、第１設定値以上であることを示す信号を減衰部に出力する検出部と、前記検出部から供給される第１設定値以上であることを示す信号によって充電され、その充電電圧が所定電圧以上である場合に、前記充電電圧の大きさに応じて、入力音声信号の信号ラインに対するインピーダンスを連続的に変化させ、前記インピーダンスの連続的な変化に応じて、入力音声信号の電力を減衰させる前記減衰部とを備える。
【０００７】
検出部は、増幅部から出力される音声信号が第１設定値以上であることを検出すると、第１設定値以上であることを示す信号を減衰部に出力する。減衰部は、検出部から、第１設定値以上であることを示す信号が供給されると、当該信号によって充電される。減衰部は、充電電圧が、所定電圧以上になると、入力音声信号の電力を減衰させるように動作する。従って、電源電圧の変動や負荷の変動によって増幅装置から出力される音声信号の電力が過大になるような場合を検出して、負荷に供給される音声信号の電力を低減し、負荷の破損を防止できる。また、減衰部は、充電電圧（つまり、音声信号が第１設定値以上であることが検出されている期間に相当）の大きさに応じて、入力音声信号の信号ラインに対するインピーダンスを連続的に変化させる。ここで、連続的に変化させるとは、少なくとも３段階以上にインピーダンスを変化させることをいう。従って、音声信号が第１設定値以上であることが検出されている期間が長く、充電電圧が大きい場合には、インピーダンスを小さくすることで、入力音声信号の減衰量を増加させることができる。一方、音声信号が第１設定値以上であることが検出されている期間が短く、充電電圧が小さい場合には、インピーダンスを大きくすることで、入力音声信号の減衰量を減少させることができる。
【０００８】
好ましい実施形態においては、前記検出部が、前記増幅部から出力される音声信号が第１設定値よりも小さい第２設定値未満であるか否かをさらに検出し、第２設定値未満である場合に第２設定値未満であることを示す信号を前記減衰部に出力し、前記減衰部が、第２設定値未満であることを示す信号によっても充電される。
【０００９】
この場合、入力音声信号の振幅が正側および負側のいずれに大きい場合であっても、入力音声信号の電力を減衰させることができる。
【００１０】
好ましい実施形態においては、前記減衰部が、前記検出部から供給される第１設定値以上であることを示す信号によって充電されるコンデンサと、前記コンデンサの充電電圧が所定電圧以上であるときにオン状態になり、前記コンデンサの充電電圧を第２トランジスタの制御電極に供給し、前記コンデンサの充電電圧が所定電圧未満であるときにオフ状態になり、前記コンデンサの充電電圧を前記第２トランジスタの制御電極に供給しない第１トランジスタと、前記コンデンサの充電電圧が制御電極に供給された場合、オン状態になり入力音声信号の電力を減衰させ、制御電極に供給される電流の大きさに応じて、入力音声信号の信号ラインに対するインピーダンスを連続的に変化させる前記第２トランジスタとを有する。
【００１１】
第２トランジスタは、コンデンサの充電電圧（すなわち、第２トランジスタの制御電極に供給される電流）の大きさに応じて、入力音声信号の信号ラインに対するインピーダンスを連続的に変化させる素子が採用される。従って、音声信号が第１設定値以上であることが検出されている期間が長く、コンデンサの充電電圧が大きい場合には、第２トランジスタのインピーダンスを小さくすることで、入力音声信号の減衰量を増加させることができる。一方、音声信号が第１設定値以上であることが検出されている期間が短く、コンデンサの充電電圧が小さい場合には、第２トランジスタのインピーダンスを大きくすることで、入力音声信号の減衰量を減少させることができる。
【００１２】
好ましい実施形態においては、前記第２トランジスタが、入力音声信号の信号ラインと接地電位との間に直列接続された２つのトランジスタを含む。
【００１３】
この場合、入力音声信号の正側および負側の両方において電力を減衰することができる。
【発明の効果】
【００１４】
本発明は上記構成を有することによって、増幅部から負荷に供給される音声信号の電力が過大であるために負荷が破損することを確実に防止でき、かつ、負荷に供給する音声信号が完全に０になることを防止する増幅装置を提供することができる。
【図面の簡単な説明】
【００１５】
【図１】本発明の好ましい実施形態による増幅装置１を示す回路図である。
【図２】トランジスタＱ５、Ｑ６のベース電流、コレクタ−エミッタ間電圧、コレクタ電流の関係を示す特性図である。
【図３】増幅装置１の各部の波形を示すタイムチャートである。
【図４】減衰部４によって電力を減衰する前の入力音声信号を示す波形図である。
【図５】減衰部４によって電力を減衰した後の入力音声信号を示す波形図である。
【発明を実施するための形態】
【００１６】
以下、本発明の好ましい実施形態について、図面を参照して具体的に説明するが、本発明はこれらの実施形態には限定されない。図１は、本発明の好ましい実施形態による増幅装置１を示す回路図である。増幅装置１は、入力音声信号を増幅してスピーカーＳＰ１等の負荷に音声信号を供給するものである。増幅装置１は、増幅部２と、検出部３と、減衰部４とを概略備える。
【００１７】
増幅部２は、抵抗Ｒ１１を介して外部から入力される入力音声信号に対して、所定の利得で増幅処理を実行し、スピーカーＳＰ１および検出部３に音声信号（出力電圧）を出力する。
【００１８】
検出部３は、増幅部２から供給される音声信号の振幅値を検出する。詳細には、検出部３は、音声信号の振幅値が第１設定値以上であるか否かを検出し、第１設定値以上である場合に、第１設定値以上であることを示す信号を減衰部４に出力する。一方、第１設定値未満である場合、第１設定値未満であることを示す信号を出力する。
【００１９】
好ましくは、本実施形態においては、検出部３は、音声信号の振幅値が第１設定値未満、かつ、第２設定値（第２設定値は第１設定値よりも小）以上の場合には、スピーカーＳＰ１に供給する音声信号の電力が過大ではなく、スピーカーＳＰ１の破損が生じないと判断し、音声信号の電力が過大でないことを示す信号を減衰部４に出力する。この信号は、例えばローレベルの信号（接地電位）である。一方、検出部３は、音声信号の振幅値が第１設定値以上、又は、第２設定値未満である場合には、スピーカーＳＰ１に供給する音声信号の電力が過大であり、スピーカーＳＰ１の破損につながる恐れがあると判断し、音声信号の電力が過大であることを示す信号（音声信号の振幅値が第１設定値以上、又は、第２設定値未満であることを示す信号）を減衰部４に出力する。この信号は、例えばハイレベルの信号（＋３０Ｖ電源電圧）である。
【００２０】
検出部３は、第１設定値を決定するための抵抗Ｒ２及びＲ３と、増幅部２の出力電圧の振幅値が第１設定値以上であるか否かを検出する第１検出部（トランジスタＱ１）と、第２設定値を決定するための抵抗Ｒ４及びＲ５と、増幅部２の出力電圧の振幅値が第２設定値未満であるか否かを検出する第２検出部（トランジスタＱ２）と、第１検出部の検出結果と第２検出部の検出結果とを合成する合成部（トランジスタＱ３）とを概略含む。
【００２１】
トランジスタＱ１は、ｐｎｐ型トランジスタであり、エミッタが＋３０Ｖ電源ラインに接続され、コレクタが抵抗Ｒ７を介してトランジスタＱ３のベースに接続され、ベースが抵抗Ｒ２と抵抗Ｒ３との接続点に接続されている。トランジスタＱ２は、ｎｐｎ型トランジスタであり、エミッタが接地電位に接続され、コレクタがトランジスタＱ３のエミッタに接続され、ベースが抵抗Ｒ４と抵抗Ｒ５との接続点に接続されている。トランジスタＱ３は、ｎｐｎ型トランジスタであり、ベースが抵抗Ｒ７を介してトランジスタＱ１のコレクタに接続され、コレクタが抵抗Ｒ６を介して＋３０Ｖ電源ラインに接続されている。検出部３からの出力信号は、ダイオードＤ３を介して減衰部４に出力される。
【００２２】
減衰部４は、検出部３から、音声信号の振幅値が第１設定値以上、又は、第２設定値未満であることを示す信号（＋３０Ｖ電源電圧）が供給され、当該電圧によってコンデンサＣ３を充電する。コンデンサＣ３の充電電圧が所定電圧以上になると、入力音信信号の信号ラインに対して並列に接続されるインピーダンス（抵抗成分）をコンデンサＣ３の充電電圧に応じて連続的（言い換えると段階的）に変化させる。連続的に変化させるとは、０又は無限大の２段階だけではなく、少なくとも３段階以上に変化させることをいう。
【００２３】
すなわち、コンデンサＣ３の充電電圧が大きいほど、入力音声信号の信号ラインに対するインピーダンスが小さくなり、入力音声信号の電力の減衰量が大きくなり、増幅部２からスピーカーＳＰ１に出力される音声信号の電力の減衰量が大きくなる。逆に、コンデンサＣ３の充電電圧が小さいほど、入力音声信号の信号ラインに対するインピーダンスが大きくなり、入力音声信号の電力の減衰量が小さくなり、増幅部２からスピーカーＳＰ１に出力される音声信号の電力の減衰量が小さくなる。
【００２４】
減衰部４は、コンデンサＣ３と、トランジスタＱ４〜Ｑ６と、抵抗Ｒ９、Ｒ１０とを備える。コンデンサＣ３は、検出部３から供給される、音声信号の振幅値が第１設定値以上、又は、第２設定値未満であることを示す信号（＋３０Ｖ電源電圧）によって充電される。トランジスタＱ４は、コンデンサＣ３の充電電圧が所定電圧以上であるときにオン状態になり、コンデンサＣ３の充電電圧をトランジスタＱ５、Ｑ６のベース（制御電極）に供給し、コンデンサＣ３の充電電圧が所定電圧未満であるときにオフ状態になり、コンデンサＣ３の充電電圧をトランジスタＱ５、Ｑ６のベースに供給しない。トランジスタＱ５、Ｑ６は、コンデンサＣ３の充電電圧がベースに供給された場合、オン状態になり入力音声信号の電力を減衰させる。トランジスタＱ５、Ｑ６は、ベースに供給される電流の大きさに応じて、入力音声信号の信号ラインに対するインピーダンスを連続的に変化させる。
【００２５】
コンデンサＣ３の一端はダイオードＤ３のカソード（つまり検出部３の出力）に接続され、その他端は接地電位に接続されている。トランジスタＱ４は、抵抗内蔵タイプのｐｎｐ型トランジスタであり、エミッタがコンデンサＣ３の一端に接続され、コレクタが抵抗Ｒ９とＲ１０との接続点に接続され、ベースが接地電位に接続されている。トランジスタＱ５は、ｎｐｎ型トランジスタであり、ベースが抵抗Ｒ９を介してトランジスタＱ４のコレクタに接続され、コレクタがトランジスタＱ６のコレクタに接続され、エミッタが入力音声信号の信号ライン（つまり、抵抗Ｒ１１と増幅部２との間）に接続されている。トランジスタＱ６は、ｎｐｎ型トランジスタであり、ベースが抵抗Ｒ１０を介してトランジスタＱ４のコレクタに接続され、コレクタがトランジスタＱ５のコレクタに接続され、エミッタが接地電位に接続されている。
【００２６】
ここで、トランジスタＱ５、Ｑ６は、ミュート用のトランジスタではなく、オーディオ用のトランジスタが採用される。つまり、トランジスタには、ミュート用のもの（例えば東芝セミコンダクター社製のＲＮ１２４１）とオーディオ用のもの（例えば東芝セミコンダクター社製の２ＳＣ２７１３）とが存在する。ミュート用のトランジスタは、ベース−エミッタ間電圧が導通開始電圧に達すると完全にオン状態となり、コレクタ−エミッタ間のインピーダンスが瞬間的に０になり、コレクタ電流が急激に増大する。ミュート用トランジスタをトランジスタＱ５、Ｑ６として使用する場合、入力音声信号はそのほとんどがトランジスタＱ５、Ｑ６を介して接地電位へと供給されてしまい、増幅部２へ供給される音声信号が無信号となってしまう。つまり。スピーカーＳＰ１から音声が出力されなくなる。
【００２７】
一方、オーディオ用のトランジスタは、図２にその特性を示すように、ベース電流ＩＢに応じて、コレクタ−エミッタ間のインピーダンス（抵抗成分）が連続的に変化し、コレクタ電流が連続的に変化する（図２によると、ベース電流が０μＡ〜１０μＡの１１段階が記載されている）。ベース電流ＩＢが大きいとインピーダンス小さくなり、コレクタ電流ＩＣが大きくなる。一方、ベース電流ＩＢが小さいとインピーダンスが大きくなりコレクタ電流が小さくなる。トランジスタＱ５、Ｑ６にこのようなオーディオ用のトランジスタを使用することによって、コンデンサＣ３の充電電圧（つまり、トランジスタＱ５、Ｑ６のベース電流）の大きさによって、入力音声信号の信号ラインに対するインピーダンスを変動させることができる。つまり、コンデンサＣ３の充電電圧が大きいと、インピーダンスが小さくなるので、入力音声信号の電力の減衰量を大きくできる。一方、コンデンサＣ３の充電電圧が小さいと、インピーダンスが大きくなり、入力音声信号の電力の減衰量を小さくすることができる。
【００２８】
以上の構成を有する増幅装置１についてその動作を説明する。図３は、増幅装置１の各点における波形を示すタイムチャートであり、各符号は図１の各点における波形に対応している。
【００２９】
まずは、検出部３から減衰部４に出力される信号について説明する。期間Ｔ１においては、増幅部２の出力電圧の振幅値が第１設定値未満、かつ、第２設定値以上である（Ａ点電圧参照）。従って、トランジスタＱ１はベース電圧が導通開始電圧に達しオン状態になっており、コレクタ電圧が＋３０Ｖ電源電圧に引き上げられ、Ｂ点電圧がハイレベルになっている。一方、トランジスタＱ２は、ベース電圧が導通開始電圧に達しオン状態になっており、コレクタ電圧が接地電位に引き下げられ、Ｃ点電圧がローレベルになっている。トランジスタＱ３は、Ｂ点電圧がハイレベルであるので、ベース電圧が導通開始電圧に達しオン状態になっており、コレクタ電圧が接地電位に引き下げられる。つまり、Ｄ点電圧がローレベル（接地電位）になっている。
【００３０】
期間Ｔ２においては、増幅部２の出力電圧の振幅値が第１設定値以上である（Ａ点電圧参照）。つまり、音声信号の振幅が正側で非常に大きな値である。トランジスタＱ１はベース電圧が導通開始電圧に達しておらずオフ状態になっており、コレクタが＋３０Ｖ電源電圧に対して開放状態とされ、Ｂ点電圧がローレベルになっている。一方、トランジスタＱ２は、ベース電圧が導通開始電圧に達しオン状態になっており、コレクタ電圧が接地電位に引き下げられ、Ｃ点電圧がローレベルになっている。トランジスタＱ３は、Ｂ点電圧がローレベルであるので、ベース電圧が導通開始電圧に達しておらずオフ状態になっており、コレクタ電圧が＋３０Ｖ電源電圧に引き上げられる。つまり、Ｄ点電圧がハイレベル（＋３０Ｖ電源電圧）になっている。
【００３１】
期間Ｔ３においては、期間Ｔ１と同じであるので、説明を援用する。
【００３２】
期間Ｔ４においては、増幅部２の出力電圧の振幅値が第２設定値未満である（Ａ点電圧参照）。つまり、オーディオ信号の振幅が負側で非常に小さな値である。従って、トランジスタＱ１はベース電圧が導通開始電圧に達しオン状態になっており、コレクタ電圧が＋３０電源電圧に引き上げられ、Ｂ点電圧がハイレベルになっている。一方、トランジスタＱ２は、ベース電圧が導通開始電圧に達しておらずオフ状態になっており、コレクタが接地電位に対して開放状態になるので、Ｃ点電圧がＢ点電圧と同じハイレベルになっている。トランジスタＱ３は、Ｂ点電圧がハイレベルであるので、ベース電圧が導通開始電圧に達しオン状態になっており、コレクタ電圧がハイレベルになっている。つまり、Ｄ点電圧がハイレベル（＋３０Ｖ電源電圧）になっている。
【００３３】
続いて、減衰部４の動作について説明する。コンデンサＣ３は、検出部３からの出力信号（Ｄ点電圧）がハイレベル（＋３０Ｖ電源電圧）のとき（期間Ｔ２、Ｔ４）に、当該電圧によって充電され、充電電圧が増加する（Ｅ点電圧参照）。一方、コンデンサＣ３は、検出部３からの出力信号（Ｄ点電圧）がローレベル（接地電位）のとき（期間Ｔ１、Ｔ３）に放電され、充電電圧が減少する（Ｅ点電圧参照）。
【００３４】
コンデンサＣ３の充電電圧は、トランジスタＱ４のエミッタに供給される。トランジスタＱ４のベースには接地電位が供給されている。トランジスタＱ４は、エミッタに供給される電圧が０．８Ｖ未満のときにはオフ状態である。一方、トランジスタＱ４は、エミッタに供給される電圧が０．８Ｖ以上になるとオン状態となり（なお、１．２Ｖ以上で完全にオン状態になる）、コンデンサＣ３の充電電圧がトランジスタＱ５、Ｑ６のベースに供給される。
【００３５】
トランジスタＱ５、Ｑ６は、トランジスタＱ４がオフ状態のときにはベースにコンデンサＣ３の充電電圧が供給されないのでオフ状態である。従って、入力音声信号は減衰されずに、増幅部２にそのまま供給される。一方、トランジスタＱ５、Ｑ６は、トランジスタＱ４がオン状態になりベースにコンデンサＣ３の充電電圧が供給されると、オン状態になり、入力音声信号をベース電流によって変化するインピーダンスによって減衰させ、入力音声信号の電力を減衰させる。上記の通り、トランジスタＱ５、Ｑ６は、オーディオ用のトランジスタであり、ベース電流が大きいほどインピーダンスが小さくなり、コレクタ電流が増加するように機能する。
【００３６】
従って、コンデンサＣ３の充電電圧が大きいほど（すなわち、検出部３からのハイレベルの信号が供給される期間Ｔ２、Ｔ４が長くなるほど）、入力音声信号の電力の減衰量が大きくなり、増幅部２からスピーカーＳＰ１に供給される音声信号の電力の減衰量を大きくできる。従って、スピーカーＳＰ１の破損をより確実に防止できる。一方、コンデンサＣ３の充電電圧が小さい（すなわち、検出部３からのハイレベルの信号が供給される期間Ｔ２、Ｔ４が短い）場合、入力音声信号の電力の減衰量が小さくなり、増幅部２からスピーカーＳＰ１に供給される音声信号の電力の減衰量が小さくなる。従って、スピーカーＳＰ１の破損をより確実に防止でき、かつ、スピーカーＳＰ１から出力される音声に対する影響を小さくできる。
【００３７】
図４は、トランジスタＱ５、Ｑ６によって電力を減衰する前の入力音声信号を示す波形図（タイミングチャート）である。図５は、トランジスタＱ５、Ｑ６によって電力を減衰した際の入力音声信号を示す波形図（タイミングチャート）である。図５に示すように、図４と比較して、入力音声信号の振幅値が小さくなり、かつ、正弦波の幅が狭くなっていることが分かる。入力音声信号の正弦波で囲まれる部分の面積が電力に相当するので、図５に示すように図４と比較して面積が小さくなっており、その結果、入力音声信号の電力を減衰できていることが分かる。
【００３８】
以上、本発明の好ましい実施形態について説明したが、本発明はこれらの実施形態には限定されない。他の実施例として、検出部３は、音声信号が第１設定値以上であるか否かのみを検出し、第２設定値未満であるか否かを検出しない構成が採用されてもよい。この場合、図１において、抵抗Ｒ４、Ｒ５、トランジスタＱ２等が省かれる。逆に、検出部３は、音声信号が第２設定値未満であるか否かのみを検出し、第１設定値以上であるか否かを検出しない構成が採用されてもよい。この場合、図１において、抵抗Ｒ２、Ｒ３、トランジスタＱ１等が省かれる。また、減衰部４において、トランジスタＱ５と抵抗Ｒ９とを省略し、トランジスタＱ６のコレクタを入力音声信号の信号ラインに直接接続するようにしてもよい。この場合には、入力音声信号の負側のみの電力を減衰でき、入力音声信号の正側の電力は減衰できないことが実験によって分かった。従って、図１の構成のように、トランジスタＱ５と抵抗Ｒ９とを設けることが好ましい。また、各トランジスタの極性は上記実施形態に限定されない。すなわち、図３のタイムチャートにおいて、ハイレベルとローレベルとが逆転していてもよい。
【産業上の利用可能性】
【００３９】
本発明は、例えばオーディオアンプに好適に採用され得る。
【符号の説明】
【００４０】
１              増幅装置
２              増幅部
３              検出部
４              減衰部
【図１】
2012165083.tif 000003
【図３】
2012165083.tif 000004
【図４】
2012165083.tif 000005
【図５】
2012165083.tif 000006
【図２】
2012165083.tif 000007